(57)【要約】    【課題】外装部の材料が非導電性であったとしても外部から静電気がスイッチング部材に落ちるのを防止することができる電子機器のスイッチを提供する。    【解決手段】デジタルカメラのダイヤル式スイッチ機構は、デジタルカメラ本体の外装部２に設けられた軸穴部９と、軸が外装部２の軸穴部９に軸支されている操作部材１と、外装部２の内側において操作部材１の先端にネジ留めされた金属製のブラシ５とを備える。外装部２には、その外側面に軸穴部９と同軸的に環状溝部１０を設け、操作部材１には、その背面に環状溝部１０に嵌合する環状リブ７が設けられている。外装部２には、溝部１０の底部において６つの小穴１１が設けられている。小穴１１の対応部において、外装部２とブラシ５の間には、アース板３が配されており、アース板３とブラシ５の間には、絶縁部材４が配されている。【選択図】      図４
2006073268.tif 000002
【特許請求の範囲】
【請求項１】
外装部に設けられた軸穴部と、前記軸穴部に嵌合する操作部材と、前記外装部の内側において前記操作部材に固定されたスイッチング部材とを備える電子機器のスイッチ機構において、
前記軸穴部の近傍において前記外装部に設けられた少なくとも１つの小穴と、前記小穴の対向位置において前記外装部の内側且つ前記スイッチング部材の外側に配された導電性部材と、前記導電性部材と前記スイッチング部材の間に配された絶縁部材とを備えることを特徴とする電子機器のスイッチ機構。
【請求項２】
前記操作部材は前記軸穴部に回転自在に嵌合しており、前記小穴は、前記導電性部材の対向位置に配されていることを特徴とする請求項１記載の電子機器のスイッチ機構。
【請求項３】
前記導電性部材は、前記小穴内において、前記操作部材に向かって突出していることを特徴とする請求項２記載の電子機器のスイッチ機構。
【請求項４】
前記外装部は、前記軸穴部と同軸的な環状溝部を有し、前記小穴は、前記環状溝部の底部に開口していることを特徴とする請求項１乃至３のいずれか１項に記載の電子機器のスイッチ機構。
【発明の詳細な説明】
【技術分野】
【０００１】
本発明は、電子機器のスイッチ機構に関する。
【背景技術】
【０００２】
デジタルカメラ等の電子機器のスイッチは、外装部に取付けられた操作部材と、操作部材に連動する金属スイッチング部材とから成る。この場合、静電気が外装部と操作部材の隙間より回路基板及び操作部材の金属スイッチング部材に落ち、回路基板に誤動作及び破損を生じさせる場合がある。
【０００３】
外装部が金属又は導電性部材で構成されている場合は、静電気は、外装部に流れるため、外装部をGNDに接続する構成にすればよいが、近年、設計の自由度、デザイン性、コストの面で多用されている非導電性のプラスチック部材が外装部に使用されている場合は、静電気が外装部に流れないので、外装部の背面に導電性材料の塗装をしたり、外装部開口付近内側に金属板を貼り付けて、それらをGNDに接続したり、非導電性部の沿面距離を十分にとったり、回路基板にヒューズ等電気製品を設けて破損を防ぐ等の静電気対策をとっていた（例えば、特許文献１参照）。
【特許文献１】特開２００２−１９６３９号公報
【発明の開示】
【発明が解決しようとする課題】
【０００４】
しかしながら、導電性材料の塗装や、ヒューズ等電気部品の配設は、コスト的に不利であり、外装部開口付近内側に金属板を貼り付ける手法は、操作部材背面及び操作部に連動した金属スイッチング部材を直接回路基板のパターンに接触させてスイッチングするような構成の機器の場合、静電気対策のための金属板が金属スイッチング部材に接触してショートするという問題がある。
【０００５】
また、沿面距離を十分にとる手法は、小型の電子機器に適さず、電子機器が小型である場合は、以下に説明するように、静電気が金属スイッチング部材に落ちるのを確実に防止できるわけではない。
【０００６】
図６は、従来の電子機器のスイッチ機構の縦断面図である。
【０００７】
図６において、デジタルカメラ本体の外装部２に設けられた軸穴部９と、軸が外装部２の軸穴部９に回動自在に嵌合している操作部材１と、外装部２の内側において操作部材１の軸にネジ止めされた金属製のブラシ５とを備える。操作部材１の軸を軸穴部９を介して軸支する外装部２には、その外側面に軸穴部２と同軸的に環状溝部１０が設けられ、操作部１には、その背面に環状溝部１０に嵌合する環状リブ７が操作部材１の背面に設けられている。これにより、操作部材１の外装部２に対するガタツキを抑制すると共に、沿面距離を稼ぐ。しかし、操作部材１の半径dや軸長を、装置の小型化により小さくした場合、溝やリブを有していても沿面距離が不足し、静電気は操作部材１と外装部２の隙間からブラシ５に落ちる（経路ａ−ａ）。
【０００８】
本発明の目的は、外装部の材料が非導電性であったとしても外部から静電気がスイッチング部材に落ちるのを防止することができる電子機器のスイッチを提供することにある。
【課題を解決するための手段】
【０００９】
上記目的を達成するために、請求項１記載のスイッチ機構は、外装部に設けられた軸穴部と、前記軸穴部に嵌合する操作部材と、前記外装部の内側において前記操作部材に固定されたスイッチング部材とを備える電子機器のスイッチ機構において、前記軸穴部の近傍において前記外装部に設けられた少なくとも１つの小穴と、前記小穴の対向位置において前記外装部の内側且つ前記スイッチング部材の外側に配された導電性部材と、前記導電性部材と前記スイッチング部材の間に配された絶縁部材とを備えることを特徴とする。
【００１０】
請求項２記載のスイッチ機構は、請求項１記載のスイッチ機構において、前記導電性部材は前記軸穴部に回転自在に嵌合しており、前記小穴は、前記操作部材の対向位置に配されていることを特徴とする。
【００１１】
請求項３記載のスイッチ機構は、請求項２記載のスイッチ機構において、前記導電性部材は、前記小穴内において、前記操作部材に向かって突出していることを特徴とする。
【００１２】
請求項４記載のスイッチ機構は、請求項１乃至３のいずれか１項に記載のスイッチ機構において、前記外装部は、前記軸穴部と同軸的な環状溝部を有し、前記小穴は、前記環状溝部の底部に開口していることを特徴とする。
【発明の効果】
【００１３】
請求項１記載のスイッチ機構によれば、軸穴部の近傍において前記外装部に設けられた少なくとも１つの小穴の対向位置において外装部の内側且つスイッチング部材の外側に導電性部材が配され、且つ、導電性部材と前記スイッチング部材の間に絶縁部材が配されているので、外装部の材料が非導電性であったとしても、外装部と操作部材の隙間から静電気がスイッチング部材に落ちるのを防止することができる。
【００１４】
請求項２記載のスイッチ機構によれば、操作部材は軸穴部に回転自在に嵌合しており、小穴は、操作部材の対向位置に配されているので、外装部と操作部材の隙間からの静電気を導電性部材に落とすことにより、静電気がスイッチング部材に落ちるのを確実に防止することができる。
【００１５】
請求項３記載のスイッチ機構によれば、導電性部材は、小穴内において、操作部材に向かって突出しているので、外装部と操作部材の隙間からの静電気を導電性部材に確実に落とすことにより、外装部と操作部材の隙間から静電気がスイッチング部材に落ちるのをより確実に防止することができる。
【００１６】
請求項４記載のスイッチ機構によれば、外装部は、軸穴部と同軸的な環状溝部を有し、穴は、環状溝部の底面に開口しているので、小穴を容易に配置することができる。
【発明を実施するための最良の形態】
【００１７】
以下、本発明の実施の形態を図面を参照しながら詳述する。
【００１８】
図１は、本発明の実施の形態に係る電子機器のスイッチ機構の部分断面図であり、図２は、図１の電子機器のスイッチ機構の部分分解斜視図である。
【００１９】
図１において、デジタルカメラのダイヤル式スイッチ機構は、デジタルカメラ本体の外装部２に設けられた軸穴部９と、軸が外装部２の軸穴部９に軸支（回動自在に嵌合）されており、ユーザーがダイヤルスイッチを操作する操作部材１と、外装部２の内側において操作部材１にネジ留めされた金属製のブラシ５（スイッチング部材）とを備える。ブラシ５は、操作部材１に連動して回転する。ブラシ５は、回路パターンが形成された回路基板６にバネ性を持ってチャージする形式で接しており、デジタルカメラ本体のスイッチングを行う。また、ブラシ５は、スリットを有し、操作部材１を回転するときにボール８と協働してクリック感をもたせる（図２）。そして、静電気対策のために、ブラシ５と外装部２の間には、アース板３を取り付ける。また、アース板３とブラシ５の間には、絶縁部材4を配することにより、アース板３とブラシ５の干渉を防ぎ、ショートによる基板６の誤動作や破損を防ぐ。
【００２０】
図３は、図１の電子機器のスイッチ機構の拡大図であり、図４は、図１の電子機器のスイッチ機構の縦断面図である。
【００２１】
図３及び図４において、操作部材１の軸を軸穴部９を介して軸支する外装部２には、その外側面に軸穴部９と同軸的に環状溝部１０が設けられ、操作部材１には、その背面に環状溝部１０に嵌合する環状リブ７が設けられている。これにより、操作部材１の外装部２に対するガタツキを抑制すると共に、沿面距離を稼ぐ。また、静電気対策のため、外装部２には、溝部１０の底部において６つの小穴１１が設けられている。
【００２２】
図４において、操作部材１は、その軸の先端にブラシ５を有する。小穴１１の対応部において、外装部２とブラシ５の間には、アース板３が配されており、アース板３とブラシ５の間には、絶縁部材４が配されている。
【００２３】
この場合、外装部２に小穴１１が開けられているので、外部の静電気の小穴１１を介した経路はａ−ａであり、小穴が開けられていない場合の経路（ｃ−ｃ）に対して（図６）、経路ａ−ａ＜経路ｃ−ｃのときは、外部の静電気は、沿面距離がブラシ５より近いアース板３に落ち（ａ−ａ）、経路ａ−ａ＞経路ｃ−ｃのときは、図５に示すように、アース板３を小穴１１内に延長してアンテナを立てることにより、経路ｂ−ｂのように沿面距離を短くすることができ、静電気がブラシ５に落ちるのを防止することができる。
【００２４】
上記構成により、外装部２に金属製以外のプラスチック等の非導電性の材料を使用し、且つ電子機器本体内部に導電性のあるスイッチを配置したとしても、静電気はアース板３に落ち、基板の誤動作、破損を防止することができ、また、スイッチング部材に金属等の導電性部材を使用しても、スイッチング部材、基板等はショートせずに配置可能となる。そして、外装部２にプラスチック等を使用可能なことは、設計の自由度、デザインの自由度を増やし、コスト面でも有利である。また、アース板を使用し、直接基板に静電気が落ちなくなるため、ヒューズ等の電子部品を追加せずに済みコストダウンすることができる。
【図面の簡単な説明】
【００２５】
【図１】本発明の実施の形態に係る電子機器のスイッチ機構の部分断面図である。
【図２】図１の電子機器のスイッチ機構の部分分解斜視図である。
【図３】図１の電子機器のスイッチ機構の拡大図である。
【図４】図１の電子機器のスイッチ機構の縦断面図である。
【図５】図４の電子機器のスイッチ機構の変形例の縦断面図である。
【図６】従来の電子機器のスイッチ機構の縦断面図である。
【符号の説明】
【００２６】
１  操作部材
２  外装部
３  アース板
４  絶縁部材
５  ブラシ
７  溝部
９  軸穴部
１０  リブ
１１  小孔
【図１】
2006073268.tif 000003
【図２】
2006073268.tif 000004
【図３】
2006073268.tif 000005
【図４】
2006073268.tif 000006
【図５】
2006073268.tif 000007
【図６】
2006073268.tif 000008